(57)【要約】照明器具がオフにされたときに、可動ヘッド照明器具の光学系をフィルタまたはディフューザで覆うための装置および方法が提供される。フィルタまたはディフューザが照明素子とレンズとの間の光路に配置される。通常動作中退出装置がフィルタまたはディフューザを光路から退出するために付勢される。器具の電源オフ時にフィルタ機構がフィルタまたはディフューザを光路内の位置に自動的に戻す。このようにして、器具が使用中でないとき、器具の光学系を強い光や太陽光の衝突による損傷から保護することができる。
2021513718.tif 000002
【特許請求の範囲】
【請求項１】
コントローラで制御されるレンズと照明素子を含む照明器具のためのフィルタ装置であって、
使用中、照明プログラムの実行中に前記コントローラの制御下で、前記照明素子と前記レンズとの間の光路内に移動可能な光フィルタを備え、
前記照明器具の電源ダウン時に、前記光フィルタを前記光路内に移動させるように構成されている、
フィルタ装置。
【請求項２】
前記コントローラは、前記照明器具を電源ダウンするための信号の受信に応答して、前記照明器具を電源ダウンする前に前記光フィルタを前記光路内に移動させるように構成されている、請求項１に記載のフィルタ装置。
【請求項３】
前記コントローラが前記照明器具を電源ダウンするための信号を受信した後で且つ前記照明器具が電源ダウンされる前に、前記コントローラによって操作され、前記光フィルタを前記光路内に移動させるためのモータをさらに備える、請求項２に記載のフィルタ装置。
【請求項４】
前記フィルタ装置はさらに、起動されたときに前記光フィルタを前記光路から退出させるように構成された退出装置を含み、
前記光フィルタは、前記照明素子と前記レンズとの間の光路内に常時偏倚され、且つ
前記コントローラは、前記照明プログラムによる前記光フィルタの要求がない場合に、前記照明器具に電力が供給されるとき、前記退出装置を起動するように構成されている、
請求項１に記載のフィルタ装置。
【請求項５】
前記光フィルタはフロストフィルタである、請求項４に記載のフィルタ装置。
【請求項６】
前記光フィルタに常時偏倚を与える偏倚機構をさらに備える、請求項４に記載のフィルタ装置。
【請求項７】
前記偏倚機構はバネを含む、請求項６に記載のフィルタ装置。
【請求項８】
前記偏倚機構は、前記照明素子の片側に配置されたばね偏倚ローラを含み、前記フィルタの少なくとも一部が前記ばね偏倚ローラに取り付けられている、請求項７に記載のフィルタ装置。
【請求項９】
前記退出装置は、モータと、前記モータによって駆動されるローラとを含み、前記ローラは前記ばね偏倚ローラとは反対側の前記照明素子の他側に配置され、前記フィルタの第２の部分が前記モータ駆動ローラに取り付けられ、前記モータの動作によって、前記フィルタの一部が前記モータ駆動ローラの周りに巻き取られ、前記バネにねじり力を加える、請求項８に記載のフィルタ装置。
【請求項１０】
前記退出装置はリレーを含む、請求項４に記載のフィルタ装置。
【請求項１１】
前記退出装置は電磁石を含む、請求項４に記載のフィルタ装置。
【請求項１２】
前記照明器具は可動ヘッドを含み、前記フィルタ、前記バイアス機構、および前記退出装置はすべて前記可動ヘッド内に配置されている、請求項６に記載のフィルタ装置。
【請求項１３】
可動ヘッド照明器具であって、
レンズおよび照明素子を含む可動ヘッドと、
前記可動ヘッドおよび前記照明素子を制御するように構成されたコントローラと、
前記可動ヘッド内に配置された少なくとも１つの光フィルタと、
を備え、
前記少なくとも１つの光フィルタは、前記照明素子と前記レンズとの間の光路内の第１の位置と、前記照明素子と前記レンズとの間の光路外の第２の位置との間で移動可能であり、
前記コントローラは、照明プログラムの一部としての制御信号に応答して、前記少なくとも１つの光フィルタを前記第１の位置と前記第２の位置との間で移動させるように構成され、
前記少なくとも１つの光フィルタは、前記照明器具が電源ダウンされると前記第１の位置に自動的に移動される、
可動ヘッド照明器具。
【請求項１４】
前記コントローラは、前記照明器具を電源ダウンするための信号の受信に応答して、前記照明器具を電源ダウンする前に前記光フィルタを前記光路内に移動させるように構成されている、請求項１３に記載の可動ヘッド照明器具。
【請求項１５】
前記コントローラが前記照明器具を電源ダウンするための信号を受信した後で且つ前記照明器具が電源ダウンされる前に、前記光フィルタを前記光路内に移動させるために前記コントローラによって操作されるモータをさらに備える、請求項１４に記載の移動ヘッド照明器具。
【請求項１６】
前記少なくとも１つの光フィルタは、前記第１の位置に常時偏倚され、
前記移動ヘッド内に退出装置が設けられ、前記退出装置は、起動されると、前記少なくとも１つの光フィルタを前記第１の位置から前記光路外の前記第２の位置に移動するように構成されている、請求項１３に記載の可動ヘッド照明器具。
【請求項１７】
前記コントローラは、前記可動ヘッド照明器具に電力が供給されると前記退出装置を起動するようにさらに構成されている、請求項１６に記載の可動ヘッド照明器具。
【請求項１８】
前記少なくとも１つの光フィルタは、無給電状態において前記第１の位置にばね付勢される、請求項１６に記載の可動ヘッド照明器具。
【請求項１９】
前記退出装置はモータを含む、請求項１６に記載の可動ヘッド照明器具。
【請求項２０】
前記少なくとも１つの光フィルタは、一端がばね偏倚ローラに接続され、他端がモータ駆動ローラに接続され、前記モータの起動により前記フィルタの一部を前記モータ駆動ローラの周りに巻き取って、前記少なくとも１つの光フィルタを前記第２の位置に移動させ、前記モータの滅勢により前記モータ駆動ローラの張力を解放し、前記ばね偏倚ローラが前記少なくとも１つのフィルタを前記第１の位置に引き戻す、請求項１９に記載の移動ヘッド照明器具。
【請求項２１】
コントローラによって制御されるレンズおよび照明素子を含む照明器具を使用する方法であって、前記方法は、
前記照明素子と前記レンズとの間の光路内の第１の位置と、前記照明素子と前記レンズとの間の光路外の第２の位置との間で移動可能な少なくとも１つの光フィルタを設けるステップと、
前記照明器具の電源ダウン状態に応答して、前記少なくとも１つのフィルタを前記第２の位置から前記第１の位置に自動的に移動させるステップと、
を含む、方法。
【請求項２２】
前記コントローラは、前記照明器具に電力が最初に供給されるとき、前記少なくとも１つの光フィルタを前記第１の位置から前記第２の位置に移動させるように構成される、請求項２１に記載の方法。
【発明の詳細な説明】
【技術分野】
【０００１】
本発明は、照明器具に電力が供給されていないときに、太陽光などの衝突光を遮断するために可動ヘッド照明器具の光学系を光フィルタまたはディフューザで自動的に覆う装置および方法に関する。
【背景技術】
【０００２】
関連技術の説明
可動ヘッド照明器具または「可動ヘッド」は、器具を物理的に位置変更することなく出力される光の方向を変えるために、電子制御信号によりヘッド全体を回転および傾けることができる照明器具である。とりわけ、可動ヘッド照明器具は、１つまたは複数のレンズの背後に配置されたランプまたはＬＥＤなどの光源を含む光学系を含む。これらの照明器具の一部は、屋外用のＩＰ（防水防塵）定格を有している。屋外生産中、照明器具のヘッドは、装置の電源がオフのとき、または器具の電源がオンのとき、しばしば上向きになるが、しばらくの間光を出力しない。例えば、図１に示されるように、可動ヘッド１０は、電源オフ時に直立位置に向けられる。しかしながら、照明器具のレンズの方向の太陽光線がレンズを通して差し込み、照明器具の光学系および／または光源を損傷し得る。より具体的には、前部レンズ２０が拡大鏡と同じように太陽３０からの光を集束および集中させることができる。したがって、レンズ２０を通過して照明器具１０の本体に入る強い光が照明器具に内部損傷を引き起こす可能性がある。現在、照明器具のユーザは、照明器具１０を太陽３０または他の強い光に直接向けたままにしないように忠告されている。そして、ユーザは日光やその他の強い光源による損傷を防ぐために頻繁にゴミ袋やその他の物体でライトを覆っている。
【０００３】
さらに、現在、タイトな光ビームをさまざまな用途のためのより柔らかく落ち着いたウォッシュライトに変換する電動ディフューザまたはフロストフィルタなどの均質化フィルタを含む可動ヘッド照明器具がある。このような器具では、モータを使用して、器具の光学系とレンズとの間の光路にフィルタを出し入れする。より具体的には、器具のユーザ入力部に手動で入力された信号によって、または有線ＤＭＸ、ｓＡＣＮ、ＡｒｔＮｅｔ信号またはワイヤレスＷＤＭＸ信号によって、つまり、保存されたプログラムの一部として、フィルタが要求されると、内部モータがフィルタを照明器具の外側レンズと光源の間の光路内に挿入するために使用される。その後、フィルタが要求されなくなったとき、モータがフィルタを光路外に戻すために使用される。器具が電源オフされると、フィルタは最後の物理的位置にとどまり、電源オフ時に使用中であった場合は光路内に、使用中でなかった場合は光路外に移動される。一部の従来技術の器具では、フィルタは光路外に常時偏倚されているため、器具が電源オフにされると、フィルタは光路外に退出される。
【０００４】
当技術分野では、照明器具の光学系および光源をレンズを通って拡大された直射日光またはその他の強い光線による損傷から保護する新規で改良された装置および方法が必要とされている。そのようなシステム、装置、および方法は、照明器具を大きくまたは重くすることなく照明器具の光学系および光源を低コストで保護すべきであり、且つ照明器具の電源がオフになったとき、または照明器具が電源オンであるが、上向きになっていて、所定の時間光が出ていない場合は、自動的に作動すべきである。
【発明の概要】
【０００５】
本発明は、当技術分野に残っているこれらの問題をこれまで知られていないか想定されていない方法で克服するのに特に適している。したがって、本発明の目的は、照明器具の光学系および光源をレンズに入射し拡大される強い光によって引き起こされる損傷から保護するための装置および方法を提供することにある。本発明の一つの特定の実施形態では、フィルタまたはディフューザは、照明器具が電源オフのときに、照明器具の外側レンズと光学系の残部との間の光路内に進入するように常時偏倚される。この特定の実施形態では、照明器具に電力が供給されているとき、および他に照明器具の動作がその使用を特に要求しないときに、外側レンズと光学系の他の構成素子との間からフィルタを退出させるためにモータが設けられる。本発明の別の特定の実施形態では、フィルタまたはディフューザは、レンズが上向きの状態で所定の時間に亘り照明器具に電力が供給されるとき、照明器具の外側のレンズと光学系の残部との間の光路内に進入するように常時偏倚される。
【０００６】
本発明は、フィルタまたはディフューザで照明器具の光学系を機械的に覆うための装置および方法に具体化されたものとして本明細書に示され説明されているが、示された可動ヘッド照明器具またはその詳細に限定されるものではない。本発明は、他のタイプの照明器具と共に使用することができ、本発明の趣旨から逸脱することなく、特許請求の範囲の均等物の範囲において、様々な修正および構造変更を行うことができるものである。
【０００７】
しかし、本発明の構造および動作方法は、特定の実施形態の以下の説明を添付の図面と関連して読むと、その追加の目的および利点とともに、最もよく理解される。なお、添付図面において、いくつかの図を通して同様の参照番号が同様の部分を示している。
【図面の簡単な説明】
【０００８】
【図１】外部環境における従来のＩＰ定格の可動ヘッド照明器具を示す簡略図である。
【図２Ａ】本発明の１つの特定の実施形態による、上向き位置にあるＩＰ定格の可動ヘッド照明器具の簡略図である。
【図２Ｂ】本発明の１つの特定の実施形態による、横向き位置にあるＩＰ定格の可動ヘッド照明器具の簡略図であり、フィルタが光学系と器具のレンズとの間から退出されている。
【図２Ｃ】本発明の１つの特定の実施形態による図２Ｂの可動ヘッド照明器具の簡略図である、フィルタが光学系と器具のレンズとの間に部分的に挿入されている。
【図２Ｄ】本発明の１つの特定の実施形態による図２Ｂの可動ヘッド照明器具の簡略図である、フィルタが光学系と器具のレンズとの間に完全に挿入されている。
【図３】本発明の１つの特定の実施形態による可動ヘッド照明器具の簡略断面図および概略図である。
【図４】図４Ａは、本発明の別の特定の実施形態による、可動ヘッド照明器具のフィルタ係合（挿入）機構の簡略概略図である。図４Ｂは、本発明のさらなる特定の実施形態による、可動ヘッド照明器具のフィルタ係合（挿入）機構の簡略概略図である。
【図５】本発明の１つの特定の実施形態によるフィルタ係合（挿入）機構の使用方法を理解するのに有用な流れ図である。
【図６】本発明の別の特定の実施形態による可動ヘッド照明器具のフィルタ係合（挿入）機構の簡略概略図である。
【図７】本発明の別の特定の実施形態によるフィルタ係合機構の使用方法を理解するのに有用な流れ図である。
【発明を実施するための形態】
【０００９】
したがって、本発明の目的は、照明器具が所定の期間オフにされるか上方に向けられる場合に、照明器具の光学系をフィルタまたはディフューザで機械的に覆うための装置および方法を提供することにある。このようにすると、器具が使用中でないときに、器具の光学系が強い光および／または太陽光によって損傷を受けるのを防ぐことができる。
【００１０】
ここで図２Ａ〜３を参照すると、常時偏倚されたフィルタ機構を含む可動ヘッド照明器具１００の１つの特定の実施形態が示されている。より具体的には、可動ヘッド照明器具１００は、ヨーク１３０を介してベース１２０に取り付けられた可動ヘッド１１０を含む。可動ヘッド１１０およびヨーク１３０は、ベースに対して移動する。例えば、このような典型的な可動ヘッド照明器具およびその構成素子を開示する米国特許出願公開第２０１５／０００３０９９号を参照されたい。この特許出願は、参照により本明細書に組み込まれる。
【００１１】
特に、可動ヘッド１１０は、レンズ１１４の背後に配置された、光学系１６０の一部である照明素子１１２を含む。特定の一実施形態では、照明素子１１２は、光学系１６０の一部として構成された複数のＬＥＤによって形成される。コントローラ１４０は入力ソース１５０とデータ通信するベース１２０に含まれる。入力ソース１５０は、器具１００の本体上のユーザインターフェース１５５とすることができ、またはインターフェースを介して器具１００の外部のソースから有線または無線の制御信号、例えばＤＭＸ、ｓＡＣＮ、ＡｒｔＮｅｔ、またはＷＤＭＸ信号など、を受信するソースとすることができる。さらに、コントローラ１４０は、メモリ１４５から制御信号を受信して、器具１１０に事前にプログラムされた照明効果を実行させることができる。特に、コントローラ１４０は、特定の所望の照明効果を実行させるために、制御信号をヘッド１１０内の光学系１６０に提供する。この説明のために、「制御データ」および「制御信号」という用語は、本明細書では互換的に使用される。さらに、単数形または複数形の「ライト」、「照明器具」、および「照明器具」という用語は、逆を指示する場合を除いて、本明細書では互換的に使用される。本発明の１つの特定の実施形態では、照明器具は、舞台照明効果および／または劇場照明効果を提供するために使用される。さらに、用語「ディフューザ」、「拡散フィルタ」および「フィルタ」は、本明細書では互換的に使用され、通過する光または光のいくつかの波長を低減するフィルタを意味する。さらに、「電源オフされる」、「電源ダウンする」、「電源ダウンされる」、および「電源ダウン状態」という用語は、本明細書では互換的に使用され、照明器具への電力が遮断された状態または照明器具のコントローラが照明器具の電源オフ（つまり、電源ダウン）を要求する制御信号を受信した状態を指す。
【００１２】
さらに、照明器具１００は、特定の所望の照明効果を実行するために、可動ヘッド１１０の内部に１つまたは複数の可動拡散板またはフィルタを含む。この特定の実施形態では、少なくとも１つのフィルタ１１６が、少なくとも光学系１６０の照明素子１１２と可動ヘッド１１０の最も外側のレンズ１１４との間に移動可能に配置される。１つの特に好ましい実施形態では、フィルタ１１６は通過する光ビームを拡散させるために可動ヘッド１１０内に設けられた拡散フィルタである。本発明の別の実施形態では、フィルタ１１６は、ヘッド１１０に収容されたフロストフィルタである。
【００１３】
ヘッド内にフィルタ１１６などの１つまたは複数のフィルタを有する従来の器具では、フィルタを、必要に応じて、光学系とレンズの間の光路に意図的に出し入れする。たとえば、必要とされるとき、フィルタは不要になるまでモータによってレンズと光学系との間の光路に移動される。その後、フィルタはモータによって再び光路外に移動される。一部の従来の器具では、器具が電源ダウンされたとき、フィルタはその最後の物理的な位置に留まる。電源ダウン時にフィルタが光路外にあった場合は、フィルタはそのままになる。他の従来の器具では、フィルタは光路外に常時偏倚されるため、器具が電源オフされるときフィルタが光路内にあれば、電源オフ時にフィルタは光路外に退出する。
【００１４】
対照的に、本発明は、照明器具が電源ダウンされたとき光学系と最外側のレンズとの間の光路にフィルタを挿入するように構成された装置を含む照明器具を提供する。本発明の特定の一実施形態では、照明器具は、少なくとも１つのフィルタ１１６が偏倚機構１７０によって、照明素子１１２を含む光学系１６０の少なくとも一部とレンズ１１４との間の光路ＯＰに常時偏倚され、フィルタ１１６をそこに保持するために電力を必要としない機構を含む。本発明の別の特定の実施形態では、照明器具を電源ダウンするための信号を受信すると、コントローラは、コントローラがモータを作動させてフィルタを光路内に移動させるまで、器具の電源ダウンを遅らせることができる。
【００１５】
再び図２Ａ〜３を参照すると、本発明の特定の一実施形態では、フィルタ１１６を光路外に偏倚させるために電力が必要とされる。そして、器具１００に電力が供給されていないとき（すなわち、器具１００が電源オフのとき）、フィルタ１１６が光学系１６０の一部とレンズ１１４との間に完全に係合(挿入されるため、レンズ１１４を通って入る日光または他の強い光を遮断または拡散することができ、光学系１６０を損傷から保護することができる。
【００１６】
図３に示される特定の実施形態では、光学系１６０とレンズ１１４との間の光路ＯＰ内にフィルタを移動させるために、偏倚機構１７０によって加えられる常時偏倚を打ち消すために、退出装置１８０に電力が供給される。例えば、本発明の１つの特定の実施形態では、偏倚機構は、フィルタ１１６を光路ＯＰ内に常時付勢するばねを含む。一実施形態では、退出装置１８０は、コントローラ１４０によって起動されてフィルタ１１６のばね偏倚に対抗し、フィルタ１１６を光学系１６０とレンズ１１４との間の光路ＯＰから退出させるモータである。
【００１７】
上記のように、本発明はばねおよびモータの使用のみに限定されることを意図するものではないことに留意されたい。むしろ、本発明の範囲および精神から逸脱することなく、他の偏倚機構１７０および対抗退出装置１８０が可能である。例えば、偏倚機構１７０は、例えば、ばね、リレー、磁石などの偏倚機構から選択することもできるが、それらに限定されない。それに対応して、対抗退出装置１８０は、フィルタ１１６に加えられる常時偏倚に対抗するモータ、リレー、または他の電気機械装置、電磁石装置とすることができる。
【００１８】
ここで図４Ａを参照すると、１つの特定の実施形態によるシステム４００が示されており、このシステムでは、フィルタ１１６は、可動ヘッドの光路を横切って常時偏倚される。より具体的には、フィルタ１１６は、その一端が、光学系１６０の片側に配置されたローラ４１０に取り付けられている。ローラ４１０は、モータ４２０によって駆動される。フィルタ１１６は、その他端が、ローラ４１０とは反対側の光学系１６０の側に配置されたばね偏倚されたローラ４３０に接続されている。ばね偏倚されたローラ４３０は、ウィンドウローラシェードのように動作するように構成される。言い換えると、ローラ４３０は、モータ式ローラ４１０によってフィルタに力が加えられていないとき、光学系１６０とレンズとの間の光路を横切ってフィルタ１１６を引くようにコイルばね４３５によって偏倚されている。より具体的には、フィルタ１１６は、フィルタ１１６の前縁に取り付けられ且つ光路の外側に位置するように配置されたストラップ１１６ａによってばね偏倚ローラ４３０に取り付けられている。
【００１９】
器具に電力が供給され、フィルタ１１６が必要でない間、コントローラ１４０は制御信号を供給し、モータ４２０を付勢してフィルタ１１６をモータ駆動ローラ４１０に巻き取り光路外に出す。ばね偏倚ローラ４３０からのフィルタ１１６の巻き出しはばね４３５にねじり力を加え、その力はモータ４２０が作動している限り維持される。モータ４２０は、コントローラがモータにそうするように指示するまで（すなわち、プログラムの一部として、または入力信号に応答してフィルタ１１６が要求されるため）、または器具への電力が遮断されるまで、ローラ４１０への張力を維持するように動作する。モータ４２０がローラ４１０の駆動を停止し、その張力を解放すると、ばね４３５に蓄積されたねじりエネルギーが解放され、ばね偏倚されたローラ４３０が回転し、光学系１６０および照明素子１１２の上にフィルタ１１６を引き出し、レンズを通って可動ヘッドに入る光からそれらを遮蔽する。器具への電力が回復すると、コントローラ１４０は再びモータ４２０を付勢して、フィルタ１１６をローラ４１０に巻き取り、フィルタ１１６が必要とされるときまで、または再び器具から電力が除去されるまで、フィルタ１１６を照明素子１１２とレンズとの間から退出させる。
【００２０】
ここで図３および図４Ｂを参照すると、本発明の別の実施形態では、システム４４０のフィルタ１１６は、レンズと照明素子１１２を含む光学系との間の光路内に（すなわち、照明素子１１２からのビーム方向に垂直に）常時配置された旋回フレームまたはプレート４７０の上に設けることができる。ばね４６０または磁石などの偏倚機構１７０、または電力を必要としない別の偏倚機構が、フィルタ１１６を照明素子の前に維持する。器具に電力が供給されると、コントローラ１４０は、リレーまたは電磁石４５０などの退出装置１８０を作動させ、枢支点４７０ａを中心にフレームを枢動させてそれを照明素子１１２の前および照明素子１１２とレンズとの間の光路から除去するように動作する。器具から電力が除去されたとき、（または制御信号に応答してコントローラ１４０によっておよび）、リレーまたは電磁石４５０が滅勢され、フレーム４７０は偏倚機構４６０により旋回されて光路に戻される。
【００２１】
フレーム４７０を光路内および外に偏倚する他の機構を使用できることに留意されたい。例えば、リレー４５０は、偏倚機構１７０および動力式退出装置１８０の両方として提供することができる。そのような実施形態では、リレー４５０を付勢すると、フレーム４７０が光路から退出し、その常時滅勢状態では、バネ４６０なしで、リレーアームがバイアス機構１７０としてフレーム４７０を光路に押し戻すことができる。
【００２２】
装置４５０が電磁石である場合、フレーム４７０は強磁性素子を備えることができ、その結果、コントローラ１４０による電磁石の付勢時に、フレームが旋回され、フィルタ１１６が照明素子１１２の前から除去される。電磁石の滅勢時に、ばね４６０または通常の磁石などの偏倚機構によって、フレーム４７０を旋回させ、フィルタ１１６を照明素子１１２の前に戻すことができる。
【００２３】
これは限定を意味するものではないこと明らかである。例えば、フレームを光路外に移動させるとともに、無給電状態でフレームを光路に戻るように偏倚させる他のメカニズムを使用することができる。例えば、フレーム４７０に配置されたモータおよび関連する歯車機構を使ってフレーム４７０を光路外へ駆動するとともに、モータの滅勢時にばね４６０または他のバイアス機構１７０を使ってフレームを光路内に旋回させて戻すことができる。
【００２４】
ここで、図３および図５を参照して、照明器具の光学系を衝突光による損傷から保護するためにフィルタ１１６を照明器具の光路に入れたり出したりする方法５００の特定の一実施形態を説明する。より具体的には、無給電状態にあるとき、照明器具１００の光学系１６０の少なくとも一部を覆うように常時偏倚されたフィルタ１１６を有する可動ヘッド照明器具１００が提供される。照明器具１００を電源オンすると（ステップ５１０）、コントローラは、退出装置１８０を自動的に操作して照明素子１１２を含む光学系１６０の少なくとも一部とレンズ１１４との間からフィルタ１１６を退出させるようにプログラムされている（ステップ５２０）。器具１００が電源オンされ（ステップ５３０ａ）、且つコントローラがフィルタ１１６を光路に入れる信号を受信しない限り（ステップ５４０ａ）、退出装置１８０はフィルタ１１６を照明素子１１２とレンズ１１４との間の光路の外に維持するように付勢される（ステップ５２０）。しかし、器具１００が電源オフされる場合（ステップ５３０ｂ）、退出装置１８０が滅勢され、フィルタ１１６は、照明器具１００への電力が回復されるまで（ステップ５１０）、偏倚機構１７０の影響の下で、照明素子１１２を含む光学系１６０の少なくとも一部とレンズ１１４との間の光路内の通常位置に戻る（ステップ５５０）。同様に、コントローラ１４０が、入力ソース１５０からフィルタ１１６の使用を要求する制御信号を受信するか、メモリ１４５からプログラムを受信すると（ステップ５４０ｂ）、コントローラは、受信制御信号に応答して退出装置１８０を再び付勢して退出させるとき（ステップ５２０）までは、退出装置１８０を滅勢してフィルタ１１６を光路内の常時偏倚位置に戻す（ステップ５５０）。
【００２５】
ここで図６および図７を参照すると、本発明の別の実施形態が示されており、この実施形態では、照明器具６００は、非トランジトリメモリ１４５に格納されたソフトウェアにより特別に構成されコントローラ６１０を含み、該コントローラ６１０は、器具６００を電源ダウンするための信号を受信すると、光学系１６０と最外側のレンズ１１４との間の光路内にフィルタ１１６を移動させる方法７００を実行するように構成されている。より具体的には、照明器具６００が電源オンされている間、コントローラ６１０は、通常の方法で、必要に応じ、フィルタ１１６を光学系１６０と最外側レンズ１１４との間の光路内へまたは外へ移動するようにモータ６２０を制御する（ステップ７１０）。しかし、照明器具６００を電源ダウンするための信号を受信すると（ステップ７２０）、コントローラ６１０は、最初に、器具６００への電源を切る前に、フィルタ１１６を照明器具６００の光学系１６０の少なくとも一部と最外側のレンズ１１４との間の光路に挿入するために、モータ６２０の動作を制御する（ステップ７３０）。フィルタ１１６を光路内および外へ既知の方法で移動させるために、例えば、ラックおよびピニオンギアシステムのようなギアリングを提供することができる。レンズ１１４を通過する光の強度を低減するために、モータ６２０がフィルタ１１６を光学系１６０と最外側レンズ１１４との間の光路に配置した後に、照明器具６００が電源ダウンされる（ステップ７４０）。
【００２６】
本発明の別の特定の実施形態では、システムは、レンズが上向きの状態で所定の時間に亘って照明器具に電力が供給されるとき、光学系１６０と最外側レンズ１１４との間の光路にフィルタを配置するように構成される。より具体的には、必要に応じて、図３の実施形態のコントローラ１４０は、レンズが所定の時間に亘って上を向いていた場合、器具１００の電源がオンにされても、退出機構１８０により加えられた張力を解放し、常時偏倚フィルタ１１６が光路に戻ることができるように構成することができる。同様に、必要に応じて、図６の実施形態のコントローラ６１０も、レンズが所定の時間に亘って上を向いていた場合、照明器具６００が電源オンされ、電源ダウン信号が受信されなかった場合でも、モータ６２０を動作させてフィルタ１１６を光学系１６０と最外側のレンズ１１４との間の光路内に移動させるように構成することができる。そのような所定の時間は、工場で、または入力ソース１５０を使用して、コントローラ１４０、６１０にプログラムすることができる。
【００２７】
さらに、図示されていないさらなる実施形態では、必要に応じて、フィルタまたはディフューザは、上述のように光路内に常時偏倚され、上記と同様に器具への電力供給時に退出装置により光路から退出される、不透明シャッターまたは不透明部材と置き換えることができる。
【００２８】
本発明は、照明器具の光学系をフィルタまたはディフューザで機械的に覆う装置および方法で具体化されるものとして本明細書に図示され説明されているが、本発明の趣旨から逸脱することなく、特許請求の範囲の均等物の範囲内において様々な修正および構造的変更が可能であるため、本発明は、図示され説明された詳細に限定されることを意図するものではない。
【図１】
2021513718.tif 000003
【図２Ａ】
2021513718.tif 000004
【図２Ｂ】
2021513718.tif 000005
【図２Ｃ】
2021513718.tif 000006
【図２Ｄ】
2021513718.tif 000007
【図３】
2021513718.tif 000008
【図４】
2021513718.tif 000009
【図５】
2021513718.tif 000010
【図６】
2021513718.tif 000011
【図７】
2021513718.tif 000012
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
コントローラで制御されるレンズと照明素子を含む照明器具のためのフィルタ装置であって、
使用中、照明プログラムの実行中に前記コントローラの制御下で、前記照明素子と前記レンズとの間の光路内に移動可能な光フィルタを備え、
前記照明器具の電源ダウン時に、前記光フィルタを前記光路外の位置から前記光路内の位置に自動的に移動させるように構成されている、
フィルタ装置。
【請求項２】
前記コントローラは、前記照明器具を電源ダウンするための信号の受信に応答して、前記照明器具を電源ダウンする前に前記光フィルタを前記光路内に移動させるように構成されている、請求項１に記載のフィルタ装置。
【請求項３】
前記コントローラが前記照明器具を電源ダウンするための信号を受信した後で且つ前記照明器具が電源ダウンされる前に、前記コントローラによって操作され、前記光フィルタを前記光路内に移動させるためのモータをさらに備える、請求項２に記載のフィルタ装置。
【請求項４】
前記フィルタ装置はさらに、起動されたときに前記光フィルタを前記光路から退出させるように構成された退出装置を含み、
前記光フィルタは、前記照明素子と前記レンズとの間の光路内に常時偏倚され、且つ
前記コントローラは、前記照明プログラムによる前記光フィルタの要求がない場合に、前記照明器具に電力が供給されるとき、前記退出装置を起動するように構成されている、
請求項１に記載のフィルタ装置。
【請求項５】
前記光フィルタはフロストフィルタである、請求項４に記載のフィルタ装置。
【請求項６】
前記光フィルタに常時偏倚を与える偏倚機構をさらに備える、請求項４に記載のフィルタ装置。
【請求項７】
前記偏倚機構はバネを含む、請求項６に記載のフィルタ装置。
【請求項８】
前記偏倚機構は、前記照明素子の片側に配置されたばね偏倚ローラを含み、前記フィルタの少なくとも一部が前記ばね偏倚ローラに取り付けられている、請求項７に記載のフィルタ装置。
【請求項９】
前記退出装置は、モータと、前記モータによって駆動されるローラとを含み、前記ローラは前記ばね偏倚ローラとは反対側の前記照明素子の他側に配置され、前記フィルタの第２の部分が前記モータ駆動ローラに取り付けられ、前記モータの動作によって、前記フィルタの一部が前記モータ駆動ローラの周りに巻き取られ、前記バネにねじり力を加える、請求項８に記載のフィルタ装置。
【請求項１０】
前記退出装置はリレーを含む、請求項４に記載のフィルタ装置。
【請求項１１】
前記退出装置は電磁石を含む、請求項４に記載のフィルタ装置。
【請求項１２】
前記照明器具は可動ヘッドを含み、前記フィルタ、前記バイアス機構、および前記退出装置はすべて前記可動ヘッド内に配置されている、請求項６に記載のフィルタ装置。
【請求項１３】
可動ヘッド照明器具であって、
レンズおよび照明素子を含む可動ヘッドと、
前記可動ヘッドおよび前記照明素子を制御するように構成されたコントローラと、
前記可動ヘッド内に配置された少なくとも１つの光フィルタと、
を備え、
前記少なくとも１つの光フィルタは、前記照明素子と前記レンズとの間の光路内の第１の位置と、前記照明素子と前記レンズとの間の光路外の第２の位置との間で移動可能であり、
前記コントローラは、照明プログラムの一部としての制御信号に応答して、前記少なくとも１つの光フィルタを前記第１の位置と前記第２の位置との間で移動させるように構成され、
前記少なくとも１つの光フィルタは、前記照明器具が電源ダウンされると前記第２の位置から前記第１の位置に自動的に移動される、
可動ヘッド照明器具。
【請求項１４】
前記コントローラは、前記照明器具を電源ダウンするための信号の受信に応答して、前記照明器具を電源ダウンする前に前記光フィルタを前記光路内に移動させるように構成されている、請求項１３に記載の可動ヘッド照明器具。
【請求項１５】
前記コントローラが前記照明器具を電源ダウンするための信号を受信した後で且つ前記照明器具が電源ダウンされる前に、前記光フィルタを前記光路内に移動させるために前記コントローラによって操作されるモータをさらに備える、請求項１４に記載の移動ヘッド照明器具。
【請求項１６】
前記少なくとも１つの光フィルタは、前記第１の位置に常時偏倚され、
前記移動ヘッド内に退出装置が設けられ、前記退出装置は、起動されると、前記少なくとも１つの光フィルタを前記第１の位置から前記光路外の前記第２の位置に移動するように構成されている、請求項１３に記載の可動ヘッド照明器具。
【請求項１７】
前記コントローラは、前記可動ヘッド照明器具に電力が供給されると前記退出装置を起動するようにさらに構成されている、請求項１６に記載の可動ヘッド照明器具。
【請求項１８】
前記少なくとも１つの光フィルタは、無給電状態において前記第１の位置にばね付勢される、請求項１６に記載の可動ヘッド照明器具。
【請求項１９】
前記退出装置はモータを含む、請求項１６に記載の可動ヘッド照明器具。
【請求項２０】
前記少なくとも１つの光フィルタは、一端がばね偏倚ローラに接続され、他端がモータ駆動ローラに接続され、前記モータの起動により前記フィルタの一部を前記モータ駆動ローラの周りに巻き取って、前記少なくとも１つの光フィルタを前記第２の位置に移動させ、前記モータの滅勢により前記モータ駆動ローラの張力を解放し、前記ばね偏倚ローラが前記少なくとも１つのフィルタを前記第１の位置に引き戻す、請求項１９に記載の移動ヘッド照明器具。
【請求項２１】
コントローラによって制御されるレンズおよび照明素子を含む照明器具を使用する方法であって、前記方法は、
前記照明素子と前記レンズとの間の光路内の第１の位置と、前記照明素子と前記レンズとの間の光路外の第２の位置との間で移動可能な少なくとも１つの光フィルタを設けるステップと、
前記照明器具の電源ダウン状態に応答して、前記少なくとも１つのフィルタを前記第２の位置から前記第１の位置に自動的に移動させるステップと、
を含む、方法。
【請求項２２】
前記コントローラは、前記照明器具に電力が最初に供給されるとき、前記少なくとも１つの光フィルタを前記第１の位置から前記第２の位置に移動させるように構成される、請求項２１に記載の方法。
【国際調査報告】
2021513718.tif 000013